(57)【要約】      （修正有）【課題】花火管を異なる角度で配列することにより、花火管を発射させると、異なる形状の造形が形成される造形花火の構造を提供する。      【解決手段】造形花火の構造は、少なくとも二個もしくは以上の支持部品２１を設置する。各支持部品上には複数の固定孔を設置してそこに花火管３を挿入し、該花火管を挿入する各支持部品の固定孔は互い違いに配列するか、もしくは各支持部品の固定孔を円周が異なる円形に配列し、どちらも各花火管を異なる角度で配列し、各花火管を上空に発射して、異なる形状の造形表現を形成する。【選択図】図２Ａ
0003143294.tif 000002
【実用新案登録請求の範囲】
【請求項１】
造形花火の構造において、少なくとも
複数の支持部を設置する少なくとも二個もしくはそれ以上の支持部品と、
両端を各支持部品の支持部上にそれぞれ設置定位し、また各支持部品が単一の花火管を定位する各支持部は互い違いに配列し、単一軸方向もしくは両軸方向へ傾斜する複数の花火管を含むことを特徴とする造形花火の構造。
【請求項２】
前記支持部は、固定孔の構造とすることを特徴とする請求項１記載の造形花火の構造。
【請求項３】
前記造形花火は、第一、二支持部品を設置し、その第一、二支持部品上の支持部は第一、二固定孔とし、各第一、二固定孔は第一、二多辺形もしくは第一、二円形に配列し、第一、二多辺形の辺の長さ合計もしくは第一、二円形の円周は同じか、もしくは異なり、花火管を単一軸方向へ傾斜することを特徴とする請求項１記載の造形花火の構造。
【請求項４】
前記造形花火は、第一、二支持部品を設置し、その第一、二支持部品上の支持部は固定孔及び接触点の構造とし、該支持部品上の各固定孔は多辺形もしくは円形に配列し、また該第二支持部品は該多辺形もしくは円形の投影範囲と同じか、もしくは異なることを特徴とする請求項１記載の造形花火の構造。
【請求項５】
前記第二支持部品の各接触点は、第二支持部品の外周囲箇所に設置し、且つ各花火管の内側に位置することを特徴とする請求項４記載の造形花火の構造。
【請求項６】
前記第二支持部品は、中間に近い箇所に中空区を設置し、各接触点は該中空区箇所に設置し、且つ各花火管の外側に位置することを特徴とする請求項４記載の造形花火の構造。
【請求項７】
前記第二支持部品は、各接触点箇所が更に凹んだ凹部を成形することを特徴とする請求項４記載の造形花火の構造。
【請求項８】
前記複数花火管は、異なる文字、図形もしくは符号に配列することを特徴とする請求項１記載の造形花火の構造。
【請求項９】
前記複数花火管は、引火線でひとつに連結し、各花火管は異なる文字、図形もしくは符号に配列することを特徴とする請求項１記載の造形花火の構造。
【請求項１０】
前記各花火管の傾斜角度は、異なることを特徴とする請求項１記載の造形花火の構造。
【考案の詳細な説明】
【技術分野】
【０００１】
本考案は、造形花火の構造に関するもので、特に火薬を充填した花火管を異なる角度で配列することにより、各花火管が上空へ発射されると、異なる形状の花火が形成される造形花火構造に係る。
【背景技術】
【０００２】
伝統的な花火台の構造は、主に発射筒、基台と引火線から構成される。これらの装置は、公知技術であり、例として下記のとおりでこれらはすべて上述の典型的な花火台の伝統構造である。
【０００３】
図１は、公知の花火台の構造立体図であり、一基台１１上に複数の花火管１２を垂直に配列し、各隣り合う花火管１２底部側辺にはそれぞれ引火線１３を連接して配列し、各引火線１３で各個花火管１２を連結して一体にする。連接した引火線１３は基台１１から延びて一導火線１４を形成し、花火管１２に点火するのに用いる。各花火管１２は、内部が発射薬及び効果薬から構成された花火１５を上空へ発射すると、真上に向かって発射されるため、空中に於いて放射形状で大範囲の花火効果を得ることができず、且つ空中で破裂した時、各花火本体の花火効果しか得られず、特殊な美しい形状を形成することができない。
【特許文献１】台湾  実用新案登録公告第３４７０７４號「花火発射筒の封鎖口層構成」
【特許文献２】台湾  実用新案登録公告第４１９０５６號「花火台」
【特許文献３】台湾  実用新案登録公告第４９６５１５號「花火発射筒の構造」
【考案の開示】
【考案が解決しようとする課題】
【０００４】
解決しようとする問題点は、花火管が垂直に設置されるため、上空に発射された時、各花火本体の花火効果しか得られず、特殊な美しい形状を形成することができない点である。
【課題を解決するための手段】
【０００５】
本考案は、少なくとも二個もしくは以上の支持部品を設置する。各支持部品上には複数の固定孔を設置してそこに花火管を挿入し、該花火管を挿入する各支持部品の固定孔は互い違いに配列するか、もしくは各支持部品の固定孔を円周が異なる円形に配列し、どちらも各花火管を異なる角度で配列し、各花火管を上空に発射して、異なる形状の造形表現を形成することを最も主要な特徴とする。
【考案の効果】
【０００６】
本考案の造形花火の構造は、花火管を異なる角度で配列することにより、花火管を上空に発射させると、異なる形状の造形が形成されるという利点がある。
【考案を実施するための最良の形態】
【０００７】
一種の火薬を充填する花火管を異なる角度に配列することにより、各花火管を上空に発射した時、異なる形状の造形表現を形成する造形花火構造を提供することを本考案の目的とする。
【０００８】
上述の目的のため、本考案の造形花火の構造は、少なくとも二個もしくは以上の支持部品を設置する。各支持部品上には、複数の固定孔を設置してそこに花火管を挿入し、また該花火管を挿入する各支持部品の固定孔は互い違いに配列するか、もしくは各支持部品の固定孔の円周が異なる円形に配列されるかで、どちらも各花火管を異なる角度に配列し、各花火管を上空に発射すると、異なる形状の造形表現を形成する。
【実施例１】
【０００９】
本考案「造形花火の構造」は、少なくとも二個もしくは以上の支持部品を設置する。図２Ａの第一実施例に示すとおり、造形花火２は、第一、二支持部品２１、２２を設置し、各支持部品２１、２２上には複数の支持部を設置する。図に示す実施例に於いて、各支持部は第一、二固定孔２１１、２２１の構造とし、第一、二支持部品２１、２２にそれぞれ第一、二円形Ａ１、Ａ２を配列する。また第一、二円形Ａ１、Ａ２の円周は同じで、且つ該花火管３を挿入する第一、二支持部品２１、２２の各第一、二固定孔２１１、２２１は互い違いに配列し、各花火管３を異なる角度で配列し、且つ単一軸方向へ傾斜させる。図２Ｂに示すとおり、各花火管３を上空へ発射すると、異なる形状の造形が形成される。
【実施例２】
【００１０】
図３Ａの第二実施例に示すとおり、第一固定孔２１１を配列する第一円形Ａ１の円周は、第二固定孔２２１が配列する第二円形Ａ２の円周より大きく、各花火管３を単一軸方向へ傾斜させる。図３Ｂに示すとおり、更にその各花火管３の傾斜角度は同じか、もしくは傾斜角度が同じでなくてもよく、図３Ｄに示すのは、各花火管３の傾斜角度がそれぞれ異なるＢ１、Ｂ２、Ｂ３、Ｂ４の角度で配置する。勿論図３Ｃに示すとおり、第一支持部品２１もしくは第二支持部品２２を円心に対して時計回りもしくは時計と逆回りの一角度で配置してもよく、各花火管３を両軸方向へ傾斜させることもできる。
【実施例３】
【００１１】
如図４Ａの第三実施例に示すとおり、第一固定孔２１１を配列した第一円形Ａ１の円周は、第二固定孔２２１を配列した第二円形Ａ２の円周より小さく、図４Ｂに示すとおり、各花火管３を単一軸方向へ傾斜させる。勿論、図４Ｃに示すとおり、第一支持部品２１、もしくは第二支持部品２２を円心に対して時計回りもしくは時計と逆回りの一角度で各花火管３を両軸方向へ傾斜しても良い。
【実施例４】
【００１２】
更に上述の各実施例に於いて、第一、二支持部品２１、２２上の各第一、二固定孔２１１、２２１は図５の第四実施例に示すとおり、第一、二多辺Ｂ１、Ｂ２に配列し、同様に花火管３を単一軸方向もしくは両軸方向へ傾斜する。
【実施例５】
【００１３】
他に、該造形花火は、少なくとも一個もしくは一個以上の支持部品及び一接触部品を設置する。図６Ａの第五実施例は、第一支持部品２１及び一接触部品２３を設置し、その第一支持部品２１、接触部品２３上の支持部は第一固定孔２１１及び接触点２３１を構成する。その第一支持部品２１上の各第一固定孔２１１は第一円形Ａ１を配列し、また該接触部品２３は第一円形Ａ１の投影範囲と同じであり、花火管３一側を第一固定孔２１１内に差し込み、別端は接触部品２３の接触点２３１上に当て、各接触点２３１は接触部品２３の外周囲箇所に設置し、且つ各花火管３の内側に位置する。また該第一固定孔２１１と接触点２３１は互い違いに配列し、花火管３を単一軸方向に傾斜させる。図６Ｂに示すとおり、各花火管３を上空に発射すると、同様に異なる形状を形成する。
【実施例６】
【００１４】
図７Ａの第六実施例に示すとおり、該接触部品２３は第一固定孔２１１を配列した第一円形Ａ１の投影範囲より小さく、図７Ｂに示すとおり、各花火管３を単一軸方向へ傾斜させる。更に該接触部品２３は各花火管３を当てる接触点箇所として更に凹んだ凹部２３１１が成形され、花火管３の接触定位効果を高める。勿論、図７Ｃに示すとおり、第一支持部品２１もしくは接触部品２３を円心に対して時計回りもしくは時計と逆回りの一角度，もしくは花火管の接触点位置を回転移動する一角度で，各花火管３を両軸方向へ傾斜させる。
【実施例７】
【００１５】
図８Ａの第七実施例に示すとおり、該接触部品２３は、第一固定孔２１１を配列した第一円形Ａ１の投影範囲より大きく、図８Ｂに示すとおり、各花火管３を単一軸方向へ傾斜させる。勿論、図８Ｃに示すとおり、第一支持部品２１もしくは接触部品２３を円心に対して時計回りもしくは時計と逆回りの一角度，もしくは花火管の接触点位置を回転移動させた一角度で各花火管３を両軸方向へ傾斜させてもよい。他に図８Ａ、８Ｄに示すとおり、該接触点２３１箇所は陥没した凹部２３１１を形成し、花火管３の接触定位効果を高める。
【実施例８】
【００１６】
更に上述各実施例に於いて、第一支持部品２１上の各第一固定孔２１１は第一多辺Ｂ１に配列してもよい。図９の第八実施例に示すとおり、同様に花火管３を単一軸方向もしくは両軸方向へ傾斜させる。勿論、上述の第五から八実施例に於いて、該接触部品２３は中間箇所に更に中空区２３２を設置してもよい。
【実施例９】
【００１７】
図１０Ａ所示の第九実施例に示すとおり、各接触点２３１は該中空区２３２箇所に設置し、且つ各花火管３の外側に位置し、同様に花火管３を異なる角度に配列する。また図１０Ｂに示すとおり、該接触点箇所には更に陥没した凹部２３１１を成形してもよく、花火管３の当て定位効果を更に高める。
【実施例１０】
【００１８】
上述の各実施例に於いて、各固定孔は放射状に配列してもよい。図１１の第十実施例に示すとおり、該第一支持部品２１上に複数個の第一固定孔２１１を配列した放射状の複数円形Ａを設置し、複数花火管３を挿入した後に形成される複数の花火管配列３０により、各花火管３は図に示すとおり、同一の長さとするが、異なる長さでも良い。
【実施例１１】
【００１９】
図１２の第十一実施例に示すとおり、各一花火管配列３０の花火管３は階段式の長さに配列してもよく、そのうち一花火管配列３０の最長の花火管３は隣り合う花火管配列３０内の最短の花火管３配列と相対し、このようにして各花火管が上空に発射されると、異なる形状の造形表現が形成される。
【実施例１２】
【００２０】
この他、該複数花火管は異なる文字、図形もしくは符号を配列しても良い。図１３Ａ、１３Ｂの第十二実施例に示すのは、各花火管３がアルファベット文字「Ｃ」の図柄に配列したもので、もしくは図１３Ｃに示すのは各花火管３が波型に配列したものである。
【実施例１３】
【００２１】
また図１４の第十三実施例に示すのは、各花火管３を「$」の図柄に配置したもので、
【実施例１４】
【００２２】
図１５Ａの第十四実施例に示すのは、各花火管３を星の図柄に配置したものであるが、図１５Ｂに示すとおり、各花火管３を太陽の図柄に配置してもよい。
【実施例１５】
【００２３】
更に図１６Ａ、１６Ｂ、１６Ｃの第十五実施例に示すのは、各花火管３をそれぞれ各組円形図柄Ａ、Ｂ、Ｃに配列し、各組円形図柄Ａ、Ｂ、Ｃは非同心(偏心)方式組立、
【実施例１６】
【００２４】
もしくは図１７の第十六実施例に示すとおり、各花火管３を螺旋状に配列し、各花火管３が引火線３１によって一体に連結され、引火線３１に点火されるごとに、而依序點燃各花火管３が順に上空へ発射され、上述図柄に相対して造形される。
【００２５】
上述に示すとおり、本考案較は造形花火の構造であり、新案登録の請求を行う。しかしながら、以上の実施説明及び図式は、本考案の良好な実施例であり、本考案を制限するものではない。依って、本考案の構造、装置、特徴と近似、雷同するものは、本考案の考案目的及び請求範囲に属するものとする。
【図面の簡単な説明】
【００２６】
【図１】本考案の公知の花火設置台の構造立体図である。
【図２Ａ】本考案の第一実施例の造形花火の構造立体及び指示図である。
【図２Ｂ】本考案の第一実施例の造形花火の構造立体及び指示図である。
【図３Ａ】本考案の第二実施例の構造立体及び指示図である。
【図３Ｂ】本考案の第二実施例の構造立体及び指示図である。
【図３Ｃ】本考案の第二実施例の構造立体及び指示図である。
【図３Ｄ】本考案の第二実施例の構造立体及び指示図である。
【図４Ａ】本考案第二実施の構造立体及び指示図である。
【図４Ｂ】本考案第二実施の構造立体及び指示図である。
【図４Ｃ】本考案第二実施の構造立体及び指示図である。
【図５】本考案の第四実施例の構造立体図である。
【図６Ａ】本考案第五実施例の構造立体及び指示図である。
【図６Ｂ】本考案第五実施例の構造立体及び指示図である。
【図７Ａ】本考案第六実施例の構造立体及び指示図である。
【図７Ｂ】本考案第六実施例の構造立体及び指示図である。
【図７Ｃ】本考案第六実施例の構造立体及び指示図である。
【図８Ａ】本考案第七実施例の構造立体及び指示図である。
【図８Ｂ】本考案第七実施例の構造立体及び指示図である。
【図８Ｃ】本考案第七実施例の構造立体及び指示図である。
【図８Ｄ】本考案第七実施例の構造立体及び指示図である。
【図９】本考案の第八実施例の構造立体図である。
【図１０Ａ】本考案第九実施例の構造指示図である。
【図１０Ｂ】本考案第九実施例の構造指示図である。
【図１１】本考案の第十実施例の構造立体図である。
【図１２】本考案の第十一実施例の構造立体図である。
【図１３Ａ】本考案第十二実施例の構造立体図である。
【図１３Ｂ】本考案第十二実施例の構造立体図である。
【図１３Ｃ】本考案第十二実施例の構造立体図である。
【図１４】本考案の第十三実施例の構造立体図である。
【図１５Ａ】本考案第十四実施例の構造図である。
【図１５Ｂ】本考案第十四実施例の構造図である。
【図１６Ａ】本考案第十五実施例の構造指示図である。
【図１６Ｂ】本考案第十五実施例の構造指示図である。
【図１６Ｃ】本考案第十五実施例の構造指示図である。
【図１７】本考案の第十六実施例の構造立体図である。
【符号の説明】
【００２７】
Ａ１        第一円形
Ａ２        第二円形
Ｂ１        第一多辺
Ｂ２        第二多辺
１１        基台
１２        花火管
１３        引火線
１４        導火線
１５        焔火
２          造形花火
２１        第一支持部品
２１１      第一固定孔
２２        第二支持部品
２２１      第二固定孔
２３        接触部品
２３１      接触点
２３２      中空区
３０        花火管配列
３        花火管
３１      引火線
【図１】
0003143294.tif 000003
【図２Ａ】
0003143294.tif 000004
【図２Ｂ】
0003143294.tif 000005
【図３Ａ】
0003143294.tif 000006
【図３Ｂ】
0003143294.tif 000007
【図３Ｃ】
0003143294.tif 000008
【図３Ｄ】
0003143294.tif 000009
【図４Ａ】
0003143294.tif 000010
【図４Ｂ】
0003143294.tif 000011
【図４Ｃ】
0003143294.tif 000012
【図５】
0003143294.tif 000013
【図６Ａ】
0003143294.tif 000014
【図６Ｂ】
0003143294.tif 000015
【図７Ａ】
0003143294.tif 000016
【図７Ｂ】
0003143294.tif 000017
【図７Ｃ】
0003143294.tif 000018
【図８Ａ】
0003143294.tif 000019
【図８Ｂ】
0003143294.tif 000020
【図８Ｃ】
0003143294.tif 000021
【図８Ｄ】
0003143294.tif 000022
【図９】
0003143294.tif 000023
【図１０Ａ】
0003143294.tif 000024
【図１０Ｂ】
0003143294.tif 000025
【図１１】
0003143294.tif 000026
【図１２】
0003143294.tif 000027
【図１３Ａ】
0003143294.tif 000028
【図１３Ｂ】
0003143294.tif 000029
【図１３Ｃ】
0003143294.tif 000030
【図１４】
0003143294.tif 000031
【図１５Ａ】
0003143294.tif 000032
【図１５Ｂ】
0003143294.tif 000033
【図１６Ａ】
0003143294.tif 000034
【図１６Ｂ】
0003143294.tif 000035
【図１６Ｃ】
0003143294.tif 000036
【図１７】
0003143294.tif 000037